(57)【要約】  本発明の装置は、押しボタン（３）と刺し針（５）とが配設されたハウジング（１）を備えてなり、押しボタン（３）に設けられて、ハウジング（１）内で、該押しボタン（３）を案内するアーム（７，８）と、一端が押しボタン（３）に連結されて、他端が刺し針（５）を押圧する駆動スプリング（１１）と、押しボタン（３）のアーム（７，８）に接続された戻りスプリング（１７，１８）とを備えている。さらに、本装置は、押しボタン（３）の各アーム（７，８）に夫々接続された二つの戻りスプリング（１７，１８）と、各戻りスプリング（１７，１８）と駆動スプリング（１１）の他端との間に夫々配設された二つの突起側部（１５，１６）とを備えている。【選択図】図１
2007521031.tif 000002
【特許請求の範囲】
【請求項１】
押しボタンと刺し針とが配設されたハウジングを備えてなり、押しボタンが、ハウジング内で押しボタンを案内するアームと、一端を押しボタンと連結して、他端により刺し針を押し出す駆動スプリングとを具備すると共に、刺し針が、ハウジングの破壊端部に支持される易破壊ウイングを具備するものであって、
押しボタン（３）のアーム（７，８）に接続された、少なくとも一つの戻りスプリングと、
刺し針（５）に設けられ、戻りスプリングと駆動スプリング（１１）の他端との間に配置された、少なくとも一つの突起側部と
を備えたものであることを特徴とする穿刺装置。
【請求項２】
夫々に別のアーム（７，８）に接続された二つの戻りスプリング（１３，１４）と、
駆動スプリング（１１）の他端と各戻りスプリング（１３，１４）との間に夫々配置された二つの突起側部（１５，１６）と
を備えていることを特徴とする請求項１に記載の穿刺装置。
【請求項３】
戻りスプリング（１３，１４）が、押しボタン（３）のアーム（７，８）の下部とほぼ垂直に接続されていることを特徴とする請求項２に記載の穿刺装置。
【請求項４】
駆動スプリング（１１）の第一端部が、押しボタン面（６）に接続されていることを特徴とする請求項１に記載の穿刺装置。
【請求項５】
駆動スプリング（１１）の他端に、刺し針（５）を押圧する押圧部材（１２）が設けられていることを特徴とする請求項１に記載の穿刺装置。
【請求項６】
駆動スプリング（１１）が、“Ｓ”字状に形成されたものであることを特徴とする請求項１に記載の穿刺装置。
【請求項７】
戻りスプリング（１３，１４）が、板バネであることを特徴とする請求項１に記載の穿刺装置。
【発明の詳細な説明】
【技術分野】
【０００１】
本発明は、診断として血液サンプルを採取するために、患者の皮膚を穿刺するための穿刺装置に関する。
【背景技術】
【０００２】
米国特許第５３５６４２０号には、スリーブと、スリーブの第一端部に設けられた押し要素とからなる構成が開示されている。スリーブの他方の端部は、開口を備えた底部となっている。スリーブの内部に、ピストンが、滑動可能に取り付けられており、押しボタン側の端部に押し棒を備え、底部の開口側の端部に穿刺チップを備えている。スリーブの内部の、押し要素面とピストンとの間に、駆動スプリングが配置されており、ピストンと底部との間に、戻りスプリングが配置されている。ピストンには、その外周にウィングが配設されており、該ウィングはスリーブの内部突起に支持されている。
【０００３】
さらに、米国特許第５４３９４７３号には、僅かな血液サンプルを採取するために、患者の皮膚に穿刺するランセットが開示されている。このランセットは、細長いハウジングを備えており、ハウジング内に、ハウジングの軸方向に沿って滑動するように稼動部材が配設されていると共に、ハウジングには、ランセットの押しボタンのための頭部開口と、刺し刃のための底部開口とが設けられている。稼動部材は、一端が押しボタンに連結された板バネを備えている。押しボタンは、その表面に垂直な二つのアッパーアームを有しており、これらアームには、ハウジング側壁の長尺状の開口に配置された鈎状端部を有している。稼動部材の板バネの他端は、刺し刃が固定されたホルダーに連結している。ホルダーの下部には、アッパーアームと平行な二つのロアアームを有している。ロアアームは、上方へ向かい、その先端が、ハウジング側壁の長尺状の開口の下端上に支持されるようにした、三角形状に形成されている。稼動部材の全てのパーツは、樹脂製である。
【０００４】
患者の皮膚を穿刺する場合に、ランセットの押圧ボタンが押されると、稼動部材の板バネが収縮して、アッパーアームの鈎状端部が、稼動部材のロアアームの先端に圧接する。次にロアアームが解除されると、板バネが回復して、ハウジングの底部開口を貫通した刺し刃によって、患者の皮膚を穿刺する。穿刺後、板バネは自然姿勢となり、刺し刃はランセットのハウジング内部に引っ込む。
【０００５】
さらに、米国特許第５７５５７３３号には、ランセットの組み立て部材と、この組み立て部材と連結されたホルダーとからなるランセット装置が提案されており、前記ランセット組み立て品には、刺し部を備えたランセットと、ランセットを押し出すエゼクターとを有している。一般的なランセット装置にあって、ランセットの刺し部は、樹脂製部材で被覆されている。
【発明の開示】
【０００６】
本発明の穿刺装置は、押しボタンと刺し針とを配設したハウジングから構成されてなり、押しボタンが、ハウジング内で押しボタンを案内するアームと、一端を押しボタンと連結して、他端により刺し針を押し出す駆動スプリングとを具備すると共に、刺し針が、ハウジングの破壊端部に支持される易破壊ウイングを具備してなるものであって、押しボタンのアームに連結された、少なくとも一つの戻りスプリングと、刺し針に設けられ、戻りスプリングと駆動スプリングの他端との間に配置された、少なくとも一つの突起側部とを備えてなるものである。
【０００７】
好ましい構成として、押しボタンの夫々別のアームと接続された二つの戻りスプリングを備えると共に、各戻りスプリングと駆動スプリングの他端との間に配設された二つの突起側部とを備えるものとする。
【０００８】
好ましい構成として、戻りスプリングが、押しボタンのアームの下部に、ほぼ垂直に接続されている。
【０００９】
好ましい構成として、駆動スプリングの第一端部が、押しボタン面に接続されている。
【００１０】
好ましい構成として、駆動スプリングの他端に、刺し針を押すための押圧部が設けられている。
【００１１】
好ましい構成として、駆動スプリングが、Ｓ字状に形成されている。
【００１２】
好ましい構成として、戻りスプリングが、板バネである。
【００１３】
本発明により解決される利点としては、安全に患者の皮膚を穿刺でき、かつ費用に対する効果が高いという事実である。
【発明を実施するための最良の形態】
【００１４】
ここで本発明の好適な実施例の詳細を、添付図面に従って説明する。
【００１５】
図１に示すように、穿刺装置はハウジング（１）を備えてなり、このハウジング（１）は、押しボタン（３）が配置される頭部開口（２）と、該ハウジング（１）の下部に設けられた、刺し針（５）が配置される細長い開口（４）とを備えている。押しボタン（３）は、樹脂製であり、押しボタン面（６）と、ハウジング（１）軸と平行に形成され、押しボタン面（６）の反対側の端部が拡げられた、ハウジング（１）内で押しボタン（３）を案内するためのアーム（７，８）とから構成されている。各アーム（７，８）は、ハウジング（１）内で押しボタン（３）を支持するための、移動止め（９，１０）を有している。さらに、押しボタン（３）には、“Ｓ”字状に形成された駆動スプリング（１１）が設けられており、この駆動スプリング（１１）は、その一側が押しボタン面（６）に連結され、他端に刺し針（５）を押すための押圧部（１２）が設けられている。また、板バネとした二つのフラット戻りスプリング（１３，１４）が、相互にほぼ平行となるようにして、押しボタン（３）のアーム（７，８）の下部に支持されている。刺し針（５）は、ハウジング（１）の下部に形成された細長い開口（４）に配置されている。そして、この刺し針（５）には、その上部に二つの突起側部（１５，１６）が設けられており、この突起側部（１５，１６）が、押しボタン（３）の駆動スプリング（１１）と戻りスプリング（１３，１４）との間に配置されている。また、刺し針（５）には、その下部に、易破壊ウィング（１７，１８）が設けられており、このウィング（１７，１８）が、下部の細長い開口（４）の上端に形成された破壊端（１９）に支持されている。この刺し針（５）の内部にランセット（２０）が配置されており、ランセット（２０）の刺し部（２１）が樹脂製のシールド（２２）内に位置されている。
【００１６】
本発明の装置の操作態様は、以下の通りである。
本装置の使用前の状態を、図１に示す。ここで、押しボタン（３）は上死点にあり、易破壊ウィング（１７，１８）は破壊端（１９）に支持されている。ランセット（２０）の刺し部（２１）のシールド（２２）が取り外された後に、押しボタン面（６）が押されると、駆動スプリング（１１）が圧縮されていき、図２のように、駆動スプリング（１１）が最も圧縮された瞬間に、ウィング（１７，１８）の破壊が生じる。そして、駆動スプリング（１１）が伸長することにより、ランセット（２０）と刺し針（５）がハウジング（１）の下部開口（４）内に移動すると共に、刺し針（５）の突起側部（１５，１６）が、図３のように、戻りスプリング（１３，１４）を押さえ付ける。次に、図４のように、ランセット（２０）の刺し部（２１）が、ハウジング（１）の下部開口（４）から突出して、患者の皮膚を穿刺する。この時、刺し針（５）の突起側部（１５，１６）が、戻りスプリング（１３，１４）を最も撓ませる。皮膚を穿刺した後、戻りスプリング（１３，１４）は、突起側部（１５，１６）を保持したまま引き上がり、図３のように、刺し針（５）がハウジング（１）の下部開口（４）に位置して、駆動スプリング（１１）と戻りスプリング（１３，１４）とが自然姿勢となる。
【００１７】
本装置の再使用は不可能である。これは、刺し針（５）のウィング（１７，１８）が破壊されるためである。
【図面の簡単な説明】
【００１８】
添付図面は、明細書に組み込まれて、明細書の一部を成すものであり、本発明の実施例を示して、明細書の記述に従って発明の原理を説明するためのものである。
【図１】本発明にかかる穿刺装置の、使用前の状態を示す縦断面図である。
【図２】同上の穿刺装置の、ウィングの破壊前の状態を示す縦断面図である。
【図３】同上の穿刺装置の、ウィングの破壊後の状態を示す縦断面図である。
【図４】同上の穿刺装置の、患者の皮膚を穿刺している状態を示す縦断面図である。  ここで、穿刺装置の同じ要素には、同じ符号を記している。
【図１】
2007521031.tif 000003
【図２】
2007521031.tif 000004
【図３】
2007521031.tif 000005
【図４】
2007521031.tif 000006
【国際調査報告】
2007521031.tif 000007
2007521031.tif 000008